(57)【特許請求の範囲】
【請求項１】
被加熱物を搭載するトッププレートと、
前記被加熱物を誘導加熱する加熱手段と、
前記トッププレートに設けられ、前記加熱手段の火力などを操作するタッチキーが並べられた操作部と、
該操作部からの指示に基づき前記加熱手段を制御する制御回路と、
を備えた誘導加熱調理器であって、
前記操作部には、
加熱を停止しているときに操作すると入力操作を受け付け加熱中に操作しても入力操作を受け付けない、オート調理を行うためのメニューキーと、
加熱を停止しているときに操作すると入力操作を受け付け加熱中に操作しても入力操作を受け付けない、調理時間を設定するためのタイマーキーと、
が設けられており、
前記メニューキーと、前記タイマーキーは、前記操作部に設けられた複数のタッチキーの両端に設けられていることを特徴とする誘導加熱調理器。
【請求項２】
被加熱物を搭載するトッププレートと、
前記被加熱物を誘導加熱する加熱手段と、
前記トッププレートに設けられ、前記加熱手段の火力などを操作するタッチキーが並べられた操作部と、
該操作部からの指示に基づき前記加熱手段を制御する制御回路と、
を備えた誘導加熱調理器であって、
前記操作部には、
加熱を停止しているときに操作すると入力操作を受け付け加熱中に操作しても入力操作を受け付けない、オート調理を行うためのメニューキーと、
加熱を停止しているときに操作すると入力操作を受け付け加熱中に操作しても入力操作を受け付けない、入力操作されたときに加熱を開始しないようにすることで子供のいたずらにより加熱が開始されるのを防ぐためのチャイルドロックキーと、
が設けられており、
前記メニューキーと、前記チャイルドロックキーは、前記操作部に設けられた複数のタッチキーの両端に設けられていることを特徴とする誘導加熱調理器。
【請求項３】
被加熱物を搭載するトッププレートと、
前記被加熱物を誘導加熱する加熱手段と、
前記トッププレートに設けられ、前記加熱手段の火力などを操作するタッチキーが並べられた操作部と、
該操作部からの指示に基づき前記加熱手段を制御する制御回路と、
を備えた誘導加熱調理器であって、
前記操作部には、
加熱を停止しているときに操作すると入力操作を受け付け加熱中に操作しても入力操作を受け付けない、入力操作されたときに加熱を開始しないようにすることで子供のいたずらにより加熱が開始されるのを防ぐためのチャイルドロックキーと、
加熱を停止しているときに操作すると入力操作を受け付け加熱中に操作しても入力操作を受け付けない、調理時間を設定するためのタイマーキーと、
が設けられており、
前記チャイルドロックキーと、前記タイマーキーは、前記操作部に設けられた複数のタッチキーの端に設けられていることを特徴とする誘導加熱調理器。
【請求項４】
請求項１〜３何れか一項に記載の誘導加熱調理器において、
前記操作部には、さらに、加熱を行っていないときに操作されたときには加熱を開始し、加熱を行っているときに操作されたときには加熱を停止するための切／スタートキーが設けられており、該切／スタートキーは、前記複数のタッチキーの端から２番目に設けられていることを特徴とする誘導加熱調理器。
【発明の詳細な説明】
【技術分野】
【０００１】
本発明は誘導加熱調理器に関するものである。
【背景技術】
【０００２】
加熱調理器のトッププレートに静電容量式のタッチキーを用いた操作部を設けたものがある。この加熱調理器では操作部が平坦であるため操作部の近傍が汚れても布巾などで容易に清掃できるが、布巾などが操作部に触れると使用者が意図しない誤動作が生じる可能性がある。
【０００３】
このような誤動作を防止するため、特許文献１の加熱調理器では、３個以上のタッチキーを並列に設置したものにおいて、タッチキーの内、互いに隣接する複数のタッチキーが同時に入力操作された場合には入力操作を受け付けないことで誤動作を防止している。
【０００４】
【特許文献１】特開２００５−２５１５０４号公報
【発明の開示】
【発明が解決しようとする課題】
【０００５】
特許文献１の加熱調理器では、意図せずに複数のタッチキーを入力操作したときの誤動作を防止することができるが、意図せずに一つのタッチキーを入力操作したときの誤動作を防止することはできない。
【０００６】
例えば、布巾でタッチキーの近傍を清掃するときに、複数のタッチキーのうち最も端に位置するタッチキーだけに触れてしまった場合、そのタッチキーへの入力操作は正常な入力操作であると判断されてしまい、誤動作が生じる。
【０００７】
本発明は、トッププレートに設けられた複数のタッチキーのうち最も端に位置するタッチキーだけに誤って触れてしまった場合でも誤動作を防止する加熱調理器を提供することを目的とする。
【課題を解決するための手段】
【０００８】
上記課題を解決するため、請求項１の誘導加熱調理器は、被加熱物を搭載するトッププレートと、前記被加熱物を誘導加熱する加熱手段と、前記トッププレートに設けられ、前記加熱手段の火力などを操作するタッチキーが並べられた操作部と、該操作部からの指示に基づき前記加熱手段を制御する制御回路と、を備え、前記操作部には、加熱を停止しているときに操作すると入力操作を受け付け加熱中に操作しても入力操作が受け付けない、オート調理を行うためのメニューキーと、加熱を停止しているときに操作すると入力操作を受け付け加熱中に操作しても入力操作が受け付けない、調理時間を設定するためのタイマーキーと、が設けられており、前記メニューキーと、前記タイマーキーは、前記操作部に設けられた複数のタッチキーの両端に設けられている。
【０００９】
また、請求項２の誘導加熱調理器は、被加熱物を搭載するトッププレートと、前記被加熱物を誘導加熱する加熱手段と、前記トッププレートに設けられ、前記加熱手段の火力などを操作するタッチキーが並べられた操作部と、該操作部からの指示に基づき前記加熱手段を制御する制御回路と、を備え、前記操作部には、加熱を停止しているときに操作すると入力操作を受け付け加熱中に操作しても入力操作が受け付けない、オート調理を行うためのメニューキーと、加熱を停止しているときに操作すると入力操作を受け付け加熱中に操作しても入力操作が受け付けない、入力操作されたときに加熱を開始しないようにすることで子供のいたずらにより加熱が開始されるのを防ぐためのチャイルドロックキーと、が設けられており、前記メニューキーと、前記チャイルドロックキーは、前記操作部に設けられた複数のタッチキーの両端に設けられている。
【００１０】
また、請求項３の誘導加熱調理器は、被加熱物を搭載するトッププレートと、前記被加熱物を誘導加熱する加熱手段と、前記トッププレートに設けられ、前記加熱手段の火力などを操作するタッチキーが並べられた操作部と、該操作部からの指示に基づき前記加熱手段を制御する制御回路と、を備え、前記操作部には、加熱を停止しているときに操作すると入力操作を受け付け加熱中に操作しても入力操作が受け付けない、入力操作されたときに加熱を開始しないようにすることで子供のいたずらにより加熱が開始されるのを防ぐためのチャイルドロックキーと、加熱を停止しているときに操作すると入力操作を受け付け加熱中に操作しても入力操作が受け付けない、調理時間を設定するためのタイマーキーと、が設けられており、前記チャイルドロックキーと、前記タイマーキーは、前記操作部に設けられた複数のタッチキーの端に設けられている。
【００１１】
さらに、請求項４の誘導加熱調理器は、前記操作部に、加熱を行っていないときに操作されたときには加熱を開始し、加熱を行っているときに操作されたときには加熱を停止するための切／スタートキーが設けられており、該切／スタートキーは、前記複数のタッチキーの端から２番目に設けられている。
【発明の効果】
【００１２】
本発明によれば、誘導加熱調理器のトッププレート表面に設けられた、静電容量式のタッチキーを用いた操作部を布巾で拭いたときの誤動作を防止することができる。
【発明を実施するための最良の形態】
【００１３】
以下、図面を用いて本発明の一実施例を説明する。
【実施例１】
【００１４】
図１は本実施例の誘導加熱調理器を上方から見た図である。
【００１５】
図１において、１は誘導加熱調理器の本体、２は本体１の上面に設けられた耐熱性ガラスを素材とした平坦なトッププレートである。３〜５はトッププレート２に表示された加熱部であり、ここに置かれた鉄鍋やアルミ鍋等の被加熱物は加熱部３〜５の下方に設けられた加熱手段から発生する磁力線の影響により誘導加熱する。６〜８は各加熱部３〜５の火力などの状態を表示するＬＣＤ等の表示部であり、９〜１１は各加熱部３〜５の火力などを操作するための制御タッチキーが並べられた操作部である。本実施例では操作部９〜１１に静電容量式のタッチキーを採用している。
【００１６】
図３は図１の誘導加熱調理器をシステムキッチンに組み込んだ状態を示す図である。図３において、前記した加熱調理器の本体１は、システムキッチン２０の天板部にその外周縁部が吊り下がるように設置されており、設置後は前面の左右に配置されたグリル部２１の前面および操作パネル２２がシステムキッチン２０の前面開口穴に臨み、本体１の前面から操作できるようになっている。なお、その他の符号を付した部分は、図１の構成と同等であるので、重複する説明は省略する。
【００１７】
次に、図４を用いて操作部９の構造を説明する。図４は加熱部３，表示部６，操作部９を含むように本体１を切断した断面図であり、ここでは鍋等の被加熱物４０をトッププレート２に搭載しているものとする。図４に示すように、表示部６はＬＣＤ６１と表示部基板６２で構成され、操作部９はトッププレート２に触れるように設けられた静電容量式タッチキー９１と操作部基板９２で構成される。
【００１８】
また、４２は被加熱物４０を誘導加熱するための加熱手段であり、４１は操作部９からの指示に基づいて加熱手段４２および表示部６を制御する制御回路である。なお、タッチキー９１は機能別に複数設けられているものとする。
【００１９】
使用者が操作部９に触れると、タッチキー９１は操作部９が操作されたことを認識し、各々のタッチキー９１に割り振られた指示が操作部基板９２を介して制御回路４１に送られる。制御回路４１は入力された指示に応じて表示部６に表示する内容を制御するとともに、加熱コイルを含む加熱手段４２を制御して火力を調整する。
【００２０】
このように、平坦なトッププレート２の下にタッチキー９１を設けることで、トッププレート２の一部を平坦な操作部９とすることができ、調理中に操作部９の近傍が汚れたときでも布巾でふき取りやすいなど清掃性を高めることができる。
【００２１】
なお、通常は、トッププレート２の裏面または表面にその下にあるタッチキー９１の機能を示すプリントをして使用者がタッチキーの存在や機能を認識できるようにするが、使用者が存在や機能を認識する必要の無いタッチキー９１に対応する位置にはプリントをしなくてもよい。
【００２２】
図２は、加熱部３に対応する表示部６と操作部９の拡大図である。ここに示されるように、操作部９には、タッチキー９ａ〜９ｉが設けられている。尚、図示していないが、操作部１１は操作部９と同等の構成であり、操作部１０は「とろ火」「弱火」「中火」「強火」タッチキーが設けられていない点を除き操作部９の構成と同等であるので説明を省略し、以下では、加熱部３に対応する操作部９を例に説明を行う。
【００２３】
図２において、９ａはオート調理を行うための「メニューキー」、９ｂは加熱を行っていないときに操作されたときには加熱を開始し、加熱を行っているときに操作されたときには加熱を停止するための「切／スタートキー」、９ｃ〜９ｈは火力を調整するキーであり、９ｃは火力をとろ火に設定する「とろ火キー」、９ｄは弱火に設定する「弱火キー」、９ｅは中火に設定する「中火キー」、９ｆは強火に設定する「強火キー」、９ｇは火力を弱める「火力ダウンキー」、９ｈは火力を強める「火力アップキー」である。また、９ｉは調理時間を設定する「タイマーキー」である。
【００２４】
次に、操作部９を使った本実施例の誘導加熱調理器の操作を説明する。
【００２５】
まず、使用者が切／スタートキー９ｂを操作した後に希望の火力（例えば強火キー９ｆ）を操作するか、または、希望の火力（例えば強火キー９ｆ）を操作した後に切／スタートキー９ｂを操作すると加熱が開始される。
【００２６】
また、加熱中に火力を変更するには、加熱中に希望の火力（例えば弱火キー９ｄ）を操作する。また、加熱を停止するには、加熱中に切／スタートキー９ｂを操作する。
【００２７】
次に、本実施例の誘導加熱調理器の誤動作防止について説明する。トッププレート２上に液体をこぼしてしまったとき等に布巾でトッププレート２を拭くと、布巾が操作部９のタッチキーに触れてしまい、使用者が意図しないタッチキーが操作される場合がある。タッチキーに比べて相対的に大きい布巾でタッチキーに触れるときには、同時に複数のタッチキーに触れることになるので、本実施例の誘導加熱調理器では、同時に複数のタッチキーが操作されたときには、その入力を受け付けないこととした。これにより、布巾で操作部９近傍を拭くときに複数のタッチキーに触れてしまった場合であっても、誤動作を防止することができる。また、操作部９の両端に設けたメニューキー９ａとタイマーキー９ｉは加熱を停止しているときに入力操作を受け付け、加熱中は入力操作を受け付けないものとした。これにより、加熱中にメニューキー９ａまたはタイマーキー９ｉを操作しても加熱制御に影響を与えることはない。
【００２８】
図２において、操作部９が左から右に向けて布巾で拭かれる場合を例に具体的に説明する。まず、最も左に位置するメニューキー９ａに布巾が触れる。しかし、加熱中にメニューキー９ａを操作しても誘導加熱調理器の制御に影響を与えない。続いて、切／スタートキー９ｂに布巾が触れるが、布巾はメニューキー９ａにも触れているので、つまり、複数のタッチキーが同時に操作されているので、切／スタートキー９ｂの入力は受け付けられない。また、とろ火キー９ｃに布巾が触れたときには切／スタートキー９ｂにも布巾が触れているのでとろ火キー９ｃの入力は受け付けられない。また、火力アップキー９ｈとタイマーキー９ｉに布巾が触れているときには、複数のタッチキーが同時に操作されているので、何れのキーの入力も受け付けられない。最後に布巾がタイマーキー９ｉに単独で触れることになるが、加熱中にこれを操作しても誘導加熱調理器の制御に影響を与えない。操作部９が左から右に向けて布巾で拭かれる場合には、このようにして誤動作を防止することができる。
【００２９】
次に、図２において、操作部９が右から左に向けて布巾で拭かれる場合を例に具体的に説明する。まず、最も右に位置するタイマーキー９ｉに布巾が触れる。しかし、加熱中にタイマーキー９ｉを操作しても誘導加熱調理器の制御に影響を与えない。続いて、火力アップキー９ｈに布巾が触れるが、布巾はタイマーキー９ｉにも触れているので、つまり、複数のタッチキーが同時に操作されているので、火力アップキー９ｈの入力は受け付けられない。また、火力ダウンキー９ｇに布巾が触れたときには火力アップキー９ｈにも布巾が触れているので火力ダウンキー９ｇの入力は受け付けられない。また、切／スタートキー９ｂとメニューキー９ａに布巾が触れているときには、複数のタッチキーが同時に操作されているので、何れのキーの入力も受け付けられない。最後に布巾がメニューキー９ａに単独で触れることになるが、加熱中にこれを操作しても誘導加熱調理器の制御に影響を与えない。操作部９が右から左に向けて布巾で拭かれる場合には、このようにして誤動作を防止することができる。
【実施例２】
【００３０】
次に図５を用いて、本発明の他の実施例について説明する。実施例２の誘導加熱調理器は、操作部９〜１１のタッチキーの構成を除き、実施例１の誘導加熱調理器の構成と同等であるので、重複する説明は省略する。
【００３１】
実施例２の誘導加熱調理器では、図５に示すように、メニューキー９ａと、入力操作されたときに加熱を開始しないようにすることで子供のいたずらにより加熱が開始されるのを防ぐためのチャイルドロックキー９ｊが操作部９の両端に設けられている。
【００３２】
次に、本実施例の誘導加熱調理器の誤動作防止について説明する。トッププレート２に液体をこぼしてしまったとき等に布巾でトッププレート２を拭くと、布巾が操作部９のタッチキーに触れてしまい、使用者が意図しないタッチキーが操作される場合がある。タッチキーに比べて相対的に大きい布巾でタッチキーに触れるときには、同時に複数のタッチキーに触れることになるので、本実施例の誘導加熱調理器では、同時に複数のタッチキーが操作されたときには、その入力を受け付けないこととした。これにより、布巾で操作部９近傍を拭くときに複数のタッチキーに触れてしまった場合であっても、誤動作を防止することができる。また、操作部９の両端に設けたメニューキー９ａとチャイルドロックキー９ｊは加熱を停止しているときに入力操作を受け付け、加熱中は入力操作を受け付けないものとした。これにより、加熱中にメニューキー９ａまたはチャイルドロックキー９ｊを操作しても加熱制御に影響を与えることはない。
【００３３】
図５において、操作部９が左から右に向けて布巾で拭かれる場合を例に具体的に説明する。まず、最も左に位置するメニューキー９ａに布巾が触れる。しかし、加熱中にメニューキー９ａを操作しても誘導加熱調理器の制御に影響を与えない。続いて、切／スタートキー９ｂに布巾が触れるが、布巾はメニューキー９ａにも触れているので、つまり、複数のタッチキーが同時に操作されているので、切／スタートキー９ｂの入力は受け付けられない。また、とろ火キー９ｃに布巾が触れたときには切／スタートキー９ｂにも布巾が触れているのでとろ火キー９ｃの入力は受け付けられない。また、火力アップキー９ｈとチャイルドロックキー９ｊに布巾が触れているときには、複数のタッチキーが同時に操作されているので、何れのキーの入力も受け付けられない。最後に布巾がチャイルドロックキー９ｊに単独で触れることになるが、加熱中にこれを操作しても誘導加熱調理器の制御に影響を与えない。操作部９が左から右に向けて布巾で拭かれる場合には、このようにして誤動作を防止することができる。
【００３４】
次に、図５において、操作部９が右から左に向けて布巾で拭かれる場合を例に具体的に説明する。まず、最も右に位置するチャイルドロックキー９ｊに布巾が触れる。しかし、加熱中にチャイルドロックキー９ｊを操作しても誘導加熱調理器の制御に影響を与えない。続いて、火力アップキー９ｈに布巾が触れるが、布巾はチャイルドロックキー９ｊにも触れているので、つまり、複数のタッチキーが同時に操作されているので、火力アップキー９ｈの入力は受け付けられない。また、火力ダウンキー９ｇに布巾が触れたときには火力アップキー９ｈにも布巾が触れているので火力ダウンキー９ｇの入力は受け付けられない。また、切／スタートキー９ｂとメニューキー９ａに布巾が触れているときには、複数のタッチキーが同時に操作されているので、何れのキーの入力も受け付けられない。最後に布巾がメニューキー９ａに単独で触れることになるが、加熱中にこれを操作しても誘導加熱調理器の制御に影響を与えない。操作部９が右から左に向けて布巾で拭かれる場合には、このようにして誤動作を防止することができる。
【実施例３】
【００３５】
次に図６を用いて、本発明の他の実施例について説明する。実施例３の誘導加熱調理器は、操作部９〜１１のタッチキーの構成を除き、実施例１の誘導加熱調理器の構成と同等であるので、重複する説明は省略する。
【００３６】
実施例３の誘導加熱調理器では、図６に示すように、チャイルドロックキー９ｊと、タイマーキー９ｉが操作部９の両端に設けられている。
【００３７】
次に、本実施例の誘導加熱調理器の誤動作防止について説明する。トッププレート２に液体をこぼしてしまったとき等に布巾でトッププレート２を拭くと、布巾が操作部９のタッチキーに触れてしまい、使用者が意図しないタッチキーが操作される場合がある。タッチキーに比べて相対的に大きい布巾でタッチキーに触れるときには、同時に複数のタッチキーに触れることになるので、本実施例の誘導加熱調理器では、同時に複数のタッチキーが操作されたときには、その入力を受け付けないこととした。これにより、布巾で操作部９近傍を拭くときに複数のタッチキーに触れてしまった場合であっても、誤動作を防止することができる。また、操作部９の両端に設けたタイマーキー９ｉとチャイルドロックキー９ｊは加熱を停止しているときに入力操作を受け付け、加熱中は入力操作を受け付けないものとした。これにより、加熱中にタイマーキー９ｉまたはチャイルドロックキー９ｊを操作しても加熱制御に影響を与えることはない。
【００３８】
図６において、操作部９が左から右に向けて布巾で拭かれる場合を例に具体的に説明する。まず、最も左に位置するチャイルドロックキー９ｊに布巾が触れる。しかし、加熱中にチャイルドロックキー９ｊを操作しても誘導加熱調理器の制御に影響を与えない。続いて、切／スタートキー９ｂに布巾が触れるが、布巾はチャイルドロックキー９ｊにも触れているので、つまり、複数のタッチキーが同時に操作されているので、切／スタートキー９ｂの入力は受け付けられない。また、とろ火キー９ｃに布巾が触れたときには切／スタートキー９ｂにも布巾が触れているのでとろ火キー９ｃの入力は受け付けられない。また、火力アップキー９ｈとタイマーキー９ｉに布巾が触れているときには、複数のタッチキーが同時に操作されているので、何れのキーの入力も受け付けられない。最後に布巾がタイマーキー９ｉに単独で触れることになるが、加熱中にこれを操作しても誘導加熱調理器の制御に影響を与えない。操作部９が左から右に向けて布巾で拭かれる場合には、このようにして誤動作を防止することができる。
【００３９】
次に、図６において、操作部９が右から左に向けて布巾で拭かれる場合を例に具体的に説明する。まず、最も右に位置するタイマーキー９ｉに布巾が触れる。しかし、加熱中にタイマーキー９ｉを操作しても誘導加熱調理器の制御に影響を与えない。続いて、火力アップキー９ｈに布巾が触れるが、布巾はタイマーキー９ｉにも触れているので、つまり、複数のタッチキーが同時に操作されているので、火力アップキー９ｈの入力は受け付けられない。また、火力ダウンキー９ｇに布巾が触れたときには火力アップキー９ｈにも布巾が触れているので火力ダウンキー９ｇの入力は受け付けられない。また、切／スタートキー９ｂとチャイルドロックキー９ｊに布巾が触れているときには、複数のタッチキーが同時に操作されているので、何れのキーの入力も受け付けられない。最後に布巾がチャイルドロックキー９ｊに単独で触れることになるが、加熱中にこれを操作しても誘導加熱調理器の制御に影響を与えない。操作部９が右から左に向けて布巾で拭かれる場合には、このようにして誤動作を防止することができる。
【図面の簡単な説明】
【００４０】
【図１】本発明の一実施例における誘導加熱調理器の平面図である。
【図２】同誘導加熱調理器の操作部の拡大図である。
【図３】同誘導加熱調理器が設置されたシステムキッチンの斜視図である。
【図４】同誘導加熱調理器の要部断面図である。
【図５】本発明の他の実施例における誘導加熱調理器の操作部の拡大図である。
【図６】本発明の他の実施例における誘導加熱調理器の操作部の拡大図である。
【符号の説明】
【００４１】
１  本体
２  トッププレート
３，４，５  加熱部
６，７，８  表示部
９，１０，１１  操作部
４１  制御回路
４２  加熱手段
【図１】
0004881830.tif 000002
【図２】
0004881830.tif 000003
【図３】
0004881830.tif 000004
【図４】
0004881830.tif 000005
【図５】
0004881830.tif 000006
【図６】
0004881830.tif 000007